(57)【要約】  この発明は、複数のモータジェネレータの電力損失を考慮して、バッテリの充電状態の制御精度を向上させること、また、それにより、バッテリの保護性能を確保すること、回生によるエネルギ回収効率を高めることを目的とする。  この発明は、ハイブリッド車両の駆動制御装置において、電力損失推測手段と目標電力算出手段とを設け、目標エンジンパワー算出手段は、標駆動パワーと目標充放電パワーと電力損失となる推定パワーとに基づいて目標エンジンパワーを算出し、モータトルク指令値演算手段は、目標エンジントルクを含むトルクバランス式と目標電力を含む電力バランス式とを用いて複数のモータジェネレータのそれぞれのトルク指令値を算出するとともに、この電力バランス式には複数のモータジェネレータによって発電ないし消費される電力と電力損失となる推定パワーとバッテリの入出力電力を含むことを特徴とする。
2012114430.tif 000002
【特許請求の範囲】
【請求項１】
出力軸を有する内燃機関と、駆動輪に接続される駆動軸と、第一と第二のモータジェネレータと、それら複数のモータジェネレータと駆動軸と内燃機関とにそれぞれ連結された４つの回転要素を有する差動歯車機構と、
アクセル開度を検出するアクセル開度検出手段と、車両速度を検出する車両速度検出手段と、バッテリの充電状態を検出するバッテリ充電状態検出手段と、
前記アクセル開度検出手段により検出されたアクセル開度と前記車両速度検出手段により検出された車両速度とに基づいて目標駆動パワーを設定する目標駆動パワー設定手段と、
少なくとも前記バッテリ充電状態検出手段により検出されたバッテリの充電状態に基づいて目標充放電パワーを設定する目標充放電パワー設定手段と、
前記目標駆動パワー設定手段の前記目標駆動パワーと前記目標充放電パワー設定手段の前記目標充放電パワーとから目標エンジンパワーを算出する目標エンジンパワー算出手段と、
目標エンジンパワーとシステム全体効率とから目標エンジン動作点を設定する目標エンジン動作点設定手段と、
前記複数のモータジェネレータのそれぞれの目標回転速度を算出するとともにそれぞれのトルク指令値を設定するモータトルク指令値演算手段と、を備えるハイブリッド車両の駆動制御装置において、
前記複数のモータジェネレータの前記目標回転速度および前記トルク指令値に基づいて電力損失となる推定パワーを算出する電力損失推測手段と、
前記目標エンジンパワー算出手段から算出する目標エンジンパワーと前記目標駆動パワーとの差から目標電力を算出する目標電力算出手段と、を設け、
前記目標エンジンパワー算出手段は、前記目標駆動パワーと前記目標充放電パワーとこの電力損失となる推定パワーとに基づいて前記目標エンジンパワーを算出し、
前記モータトルク指令値演算手段は、前記目標エンジン動作点から求められる目標エンジントルクを含むトルクバランス式と前記目標電力を含む電力バランス式とを用いて前記複数のモータジェネレータのそれぞれのトルク指令値を算出するとともに、
この電力バランス式には前記複数のモータジェネレータによって発電ないし消費される電力と前記複数のモータジェネレータにおける電力損失となる推定パワーとバッテリの入出力電力を含むことを特徴とするハイブリッド車両の駆動制御装置。
【請求項２】
前記電力損失推測手段は、第一のモータジェネレータの目標回転速度（前回値）およびトルク指令値（前回値）を変数とする二次多項式により第一のモータジェネレータの電力損失となる推定パワーを算出するとともに、
第二のモータジェネレータの目標回転速度（前回値）およびトルク指令値（前回値）を変数とする二次多項式により第二のモータジェネレータの電力損失となる推定パワーを算出することを特徴とする請求項１に記載のハイブリッド車両の駆動制御装置。
【請求項３】
前記バッテリの状態パラメータに基づいてバッテリに対する入出電力を制限する電力上限値と電力下限値を設定する電力上下限値算出手段を設け、
前記目標電力算出手段は、前記目標エンジンパワー算出手段から算出する目標エンジンパワーと前記目標駆動パワーとの差から目標電力を算出するとともに、この目標電力が前記電力上限値および前記電力下限値によって設定される範囲から外れる際には前記電力上限値又は前記電力下限値に制限することを特徴とする請求項１に記載のハイブリッド車両の駆動制御装置。
【請求項４】
前記電力上下限値算出手段は、前記バッテリの状態パラメータとして温度と電圧と充電状態に基づいて検索テーブルから求めた検索値から前記推定パワーを減算して前記電力上限値又は前記電力下限値を決定することを特徴とする請求項３に記載のハイブリッド車両の駆動制御装置。
【発明の詳細な説明】
【技術分野】
【０００１】
この発明は複数の動力源を備え、それらの動力を差動歯車機構により合成して駆動軸に入出力するハイブリッド車両の駆動制御装置に係り、特に、モータジェネレータの電力損失を考慮して内燃機関のエンジン動作点とモータジェネレータのトルクを制御することによりバッテリの充電状態の制御精度を向上させ、バッテリを過負荷から保護することができるハイブリッド車両の駆動制御装置に関する。
【背景技術】
【０００２】
従来、電動機と内燃機関を備えたハイブリッド車両の方式としては、シリーズ方式やパラレル方式の他に、特許第３０５０１２５号公報、特許第３０５０１３８号公報、特許第３０５０１４１号公報、特許第３０９７５７２号公報等に開示されるように、１つの遊星歯車機構（３つの回転要素を有する差動歯車機構）と２つの電動機を用いて、内燃機関の動力を発電機と駆動軸に分割し、発電機で発電した電力を用いて駆動軸に設けた電動機を駆動することにより、内燃機関の動力をトルク変換する方式がある。これを「３軸式」と呼ぶこととする。
この従来技術では、前記内燃機関のエンジン動作点を停止を含めた任意の点に設定できるため、燃費を向上することができる。しかし、シリーズ方式ほどではないが、十分な駆動軸トルクを得るためには比較的大きなトルクを有する電動機が必要となるため、及びＬＯＷギア比域で発電機と電動機との間での電力の受け渡し量が増加するため、電気的損失が大きくなり、未だ改善の余地がある。
この点を解決する方法としては、特許第３５７８４５１号公報、特開２００４−１５９８２号公報に開示されるものや、この発明の出願人による特開２００２−２８１６０７号公報、特開２００８−１２９９２号公報に開示されるものがある。
特開２００２−２８１６０７号公報の方法は、４つの回転要素を有する差動歯車機構の各回転要素に、内燃機関の出力軸、第一のモータジェネレータ（以下「ＭＧ１」と記す）、第二のモータジェネレータ（以下「ＭＧ２」と記す）、及び駆動輪に接続される駆動軸を接続し、内燃機関の動力とＭＧ１、ＭＧ２の動力を合成して駆動軸に出力するものである。
そして、特開２００２−２８１６０７号公報の方法は、共線図上で内側の回転要素に内燃機関の出力軸と駆動輪に接続される駆動軸とを配置し、共線図上で外側の回転要素にＭＧ１（内燃機関側）とＭＧ２（駆動軸側）とを配置することにより、内燃機関から駆動軸へ伝達される動力のうち、ＭＧ１及びＭＧ２が受け持つ割合を少なくすることができるので、ＭＧ１、ＭＧ２を小型化できると共に駆動装置としての伝達効率を改善できる。これを「４軸式」と呼ぶこととする。
また、特許第３５７８４５１号公報も上記方法と同様であるが、さらに５つ目の回転要素を有し、この回転要素の回転を停止させるブレーキを設ける方法も提案している。
前記特開２００８−１２９９２号公報は、内燃機関と複数のモータジェネレータを備えたハイブリッド車両の駆動制御装置において、内燃機関のエンジン動作点に関してエンジン回転速度を高く設定するものであり、内燃機関の制御技術が開示されている。
上記の従来技術では、特許第３０５０１２５号公報に開示されるように、車両に要求される駆動力とバッテリの充電に要求される電力を加算して内燃機関が出力すべきパワーを算出し、そのパワーとなるエンジントルクとエンジン回転速度の組み合わせの中から、できるだけ効率が良いポイントを算出して目標エンジン動作点としている。そして、内燃機関のエンジン動作点が目標動作点となるように、ＭＧ１を制御してエンジン回転速度を制御している。
【先行技術文献】
【特許文献】
【０００３】
【特許文献１】特許第３０５０１２５号公報
【特許文献２】特許第３０５０１３８号公報
【特許文献３】特許第３０５０１４１号公報
【特許文献４】特許第３０９７５７２号公報
【特許文献５】特許第３５７８４５１号公報
【特許文献６】特開２００４−１５９８２号公報
【特許文献７】特開２００２−２８１６０７号公報
【特許文献８】特開２００８−１２９９２号公報
【発明の概要】
【発明が解決しようとする課題】
【０００４】
ところで、従来のハイブリッド車両の駆動制御装置において、「３軸式」の場合、ＭＧ２のトルクはトルクバランスに影響を与えないので、エンジン回転速度が目標値に近づくようにＭＧ１のトルクをフィードバック制御したＭＧ１のトルクから、内燃機関とＭＧ１により駆動軸に出力されるトルクを算出し、目標駆動力からその値を減算した値となるようにＭＧ２のトルクを制御すれば、エンジントルクが変動しても目標とする駆動力を駆動軸から出力することができる。
しかし、「４軸式」の場合には、駆動軸とＭＧ２とが別の軸となり、ＭＧ２のトルクもトルクバランスに影響してエンジン回転速度制御に影響するため、上記「３軸式」の制御方法は使えないという不都合がある。
また、「４軸式」である上記特開２００４−１５９８２号公報では、バッテリヘの充放電の無い状態で走行する場合のＭＧ１、ＭＧ２のトルクをトルクバランス式から算出し、ＭＧ１、ＭＧ２の回転速度をフィードバック制御してエンジン回転速度と駆動力を制御する方法が開示されている。
しかし、上記特開２００４−１５９８２号公報では、バッテリヘの充放電がある場合や、エンジントルクが変動した場合については言及していない。
前記特開２００８−１２９９２号公報では、内燃機関の動作点に関してエンジン回転速度を高く設定するものであり、内燃機関の制御技術が開示されているが、複数のモータジェネレータの制御は不明であり、さらに、バッテリとの充放電を行う場合の複数のモータジェネレータの制御は不明である。
前記特開２００８−１２９９２号公報では、内燃機関と複数のモータジェネレータを機械的に作動連結して、内燃機関の動作点を目標値に維持しながら複数のモータジェネレータを互いに関連させてトルクバランスをとって制御する必要があり、さらに、バッテリとの充放電を行う場合には、電力収支もバランスさせる必要がある。つまり、それら複数のモータジェネレータのトルクバランス及び電力収支のバランスを両立するように制御する必要がある。
さらに、前記特開２００８−１２９９２号公報では、複数のモータジェネレータを互いに関連させてトルクバランスをとって制御する際に、フィードバック制御を行っても、その制御内容によっては、内燃機関のトルク変動が駆動トルクに影響を及ぼしてしまう不都合がある。【０００５】
そこで、この発明の出願人は、内燃機関の出力、ＭＧ１、ＭＧ２、の動力を合成して駆動輪に接続される駆動軸を駆動するハイブリッド車両において、アクセル開度と車両速度をパラメータとする目標駆動力と、車両速度とから目標駆動パワーを求め、バッテリの充電状態ＳＯＣに基づいて目標充放電パワーを求め、車両速度と目標駆動力に基づいて電力損失を予測し、目標駆動パワーに目標電力と電力損失を加算して目標エンジンパワーを算出し、目標エンジンパワーから目標エンジン動作点を求め、目標駆動パワーと目標エンジンパワーの差からバッテリからの入出力電力の目標値である目標電力を求め、目標エンジントルクを含むトルクバランス式と、目標電力を含む電力バランス式からＭＧ１のトルクとＭＧ２のトルクの制御指令値（トルク指令値）を演算する駆動制御装置を考案した。
この方法によれば、電力損失を考慮して目標エンジンパワーを算出するので、目標とする駆動力を出力しながらバッテリの充電状態ＳＯＣをより正確に所定範囲に制御するための発電を行うことができる。
しかし、目標エンジンパワーより目標駆動パワーの方が大きくなる場合、すなわち内燃機関のパワー上限により目標エンジンパワーが制限される場合、バッテリ電力によるパワーアシストが行なわれることになるが、この場合には電力損失を考慮して目標エンジンパワーを算出しても結局内燃機関の上限パワーで制限されてしまうため、目標電力に電力損失が反映されないということになる。従って、上記のような場合には、電力損失の分だけ電力が余計に消費されることになり、バッテリが過放電したり、バッテリの放電電力の制限を越えてしまうという問題がある。
また、減速時に回生制動によりバッテリの充電を行う場合、バッテリの入力制限のみによりＭＧ１、ＭＧ２のトルクを制限すると、実際に充電に用いられる電力は入力制限値より電力損失の分だけ少ない電力となる。従って、減速による電力回生を十分に利用できていないという問題がある。
これらの問題を解決するために、目標電力をバッテリの入出力制限パワーから上記電力損失を減算した値の範囲内に制限することが考えられるが、電力損失を車両速度と目標駆動力に基づいて推測しているため、精度が十分でなく、より精度の高い手法が望まれる。ここで、電力損失を車両速度と目標駆動力に基づいて推測しているのは、目標エンジンパワーを求める前に電力損失を推測する必要があるからであり、この時点では目標エンジン動作点やＭＧ１、ＭＧ２の目標回転速度、目標トルクは算出されていないからである。【０００６】
この発明は、複数のモータジェネレータの電力損失を考慮して、バッテリの充電状態の制御精度を向上させること、また、それにより、バッテリの保護性能を確保すること、回生によるエネルギ回収効率を高めることを目的とする。
【課題を解決するための手段】
【０００７】
この発明は、出力軸を有する内燃機関と、駆動輪に接続される駆動軸と、第一と第二のモータジェネレータと、それら複数のモータジェネレータと駆動軸と内燃機関とにそれぞれ連結された４つの回転要素を有する差動歯車機構と、アクセル開度を検出するアクセル開度検出手段と、車両速度を検出する車両速度検出手段と、バッテリの充電状態を検出するバッテリ充電状態検出手段と、前記アクセル開度検出手段により検出されたアクセル開度と前記車両速度検出手段により検出された車両速度とに基づいて目標駆動パワーを設定する目標駆動パワー設定手段と、少なくとも前記バッテリ充電状態検出手段により検出されたバッテリの充電状態に基づいて目標充放電パワーを設定する目標充放電パワー設定手段と、前記目標駆動パワー設定手段の前記目標駆動パワーと前記目標充放電パワー設定手段の前記目標充放電パワーとから目標エンジンパワーを算出する目標エンジンパワー算出手段と、目標エンジンパワーとシステム全体効率とから目標エンジン動作点を設定する目標エンジン動作点設定手段と、前記複数のモータジェネレータのそれぞれの目標回転速度を算出するとともにそれぞれのトルク指令値を設定するモータトルク指令値演算手段と、を備えるハイブリッド車両の駆動制御装置において、前記複数のモータジェネレータの前記目標回転速度および前記トルク指令値に基づいて電力損失となる推定パワーを算出する電力損失推測手段と、前記目標エンジンパワー算出手段から算出する目標エンジンパワーと前記目標駆動パワーとの差から目標電力を算出する目標電力算出手段と、を設け、前記目標エンジンパワー算出手段は、前記目標駆動パワーと前記目標充放電パワーとこの電力損失となる推定パワーとに基づいて前記目標エンジンパワーを算出し、前記モータトルク指令値演算手段は、前記目標エンジン動作点から求められる目標エンジントルクを含むトルクバランス式と前記目標電力を含む電力バランス式とを用いて前記複数のモータジェネレータのそれぞれのトルク指令値を算出するとともに、この電力バランス式には前記複数のモータジェネレータによって発電ないし消費される電力と前記複数のモータジェネレータにおける電力損失となる推定パワーとバッテリの入出力電力を含むことを特徴とする。
【発明の効果】
【０００８】
この発明は、複数のモータジェネレータの電力損失を考慮し、バッテリの状態に応じた入出力パワーに制限することによって、バッテリの電力を使ってパワーアシストを行った場合の充放電電力を適切に制限することができるので、バッテリに対する過放電や過負荷を防止することができる。
この発明は、複数のモータジェネレータの電力損失を考慮して、バッテリのＳＯＣの制御精度を向上させることができ、制御精度が高いので、バッテリの制限値近傍の範囲を使用でき、減速時に回生量を増加することができる。
この発明は、電力バランス式に電力損失を含めて演算するようにしたので、複数のモータジェネレータヘの駆動力配分の制御精度を高めることができる。
この発明は、内燃機関の動作点に配慮し、モータジェネレータにおける目標とする駆動力確保と、バッテリに対する過充放電を防止した目標近傍の充放電の確保とを両立することができる。また、この発明は、目標エンジン回転速度を、それが目標エンジン回転速度上限値を超えないように再設定した後、それに基づいて目標充放電パワーとは異なる目標電力を設定することになり、その最適化した目標エンジン動作点と、過充放電を防止した最適な目標電力とに基づいての複数のモータジェネレータの駆動力を設定することになるので、エンジン回転速度を制限して内燃機関を保護するとともに、バッテリの電力を用いたパワーアシストにより運転者の要求する駆動力を満足させることができる。
【図面の簡単な説明】
【０００９】
【図１】図１はハイブリッド車両の駆動制御装置のシステム構成図である。
【図２】図２は目標エンジン動作点及び目標電力演算の制御ブロック図である。
【図３】図３はモータジェネレータのトルク指令値演算の制御ブロック図である。
【図４】図４は目標エンジン動作点算出の制御フローチャートである。
【図５】図５はモータジェネレータのトルク指令値算出の制御フローチャートである。
【図６】図６は車両速度とアクセル開度とによる目標駆動力検索マップである。
【図７】図７はバッテリの充電状態による目標充放電パワー検索テーブルである。
【図８】図８はエンジントルクとエンジン回転速度とからなる目標エンジン動作点検索マップである。
【図９】図９は同一エンジン動作点で車両速度を変化させた場合の共線図である。
【図１０】図１０はエンジントルクとエンジン回転速度とからなる目標エンジン動作点検索マップのエンジン効率の最良ラインと全体効率の最良ラインとを示す図である。
【図１１】図１１は効率とエンジン回転速度とからなる等パワーライン上の各効率を示す図である。
【図１２】図１２は等パワー線上の各ポイント（Ｄ、Ｅ、Ｆ）の共線図である。
【図１３】図１３はＬＯＷギア比状態の共線図である。
【図１４】図１４は中間ギア比状態の共線図である。
【図１５】図１５はＨＩＧＨギア比状態の共線図である。
【図１６】図１６は動力循環が発生している状態の共線図である。
【図１７】図１７はバッテリの温度による電力上下限制限値検索テーブルである。
【図１８】図１８はバッテリの電圧による電力上下限制限値検索テーブルである。
【図１９】図１９はバッテリの充電状態による電力上下限制限値検索テーブルである。
【発明を実施するための形態】
【００１０】
以下図面に基づいて、この発明の実施例を説明する。
【実施例】
【００１１】
図１〜図１９は、この発明の実施例を示すものである。図１において、１はハイブリッド車両の駆動制御装置である。ハイブリッド車両の駆動制御装置１は、駆動系として、燃料の燃焼により駆動力を発生させる内燃機関２の出力軸３と、電気により駆動力を発生するとともに駆動により電気エネルギを発生する第一のモータジェネレータ４及び第二のモータジェネレータ５と、ハイブリッド車両の駆動輪６に接続される駆動軸７と、出力軸３、第一のモータジェネレータ４、第二のモータジェネレータ５、及び駆動軸７にそれぞれ連結された動力伝達機構である差動歯車機構８と、を備えている。
前記内燃機関２は、アクセル開度（アクセルペダルの踏み込み量）に対応して吸入する空気量を調整するスロットルバルブ等の空気量調整手段９と、吸入する空気量に対応する燃料を供給する燃料噴射弁等の燃料供給手段１０と、燃料に着火する点火装置等の着火手段１１とを備えている。内燃機関２は、空気量調整手段９と燃料供給手段１０と着火手段１１とにより燃料の燃焼状態を制御され、燃料の燃焼により駆動力を発生する。
前記第一のモータジェネレータ４は、第１モータロータ軸１２と第１モータロータ１３と第１モータステータ１４とを備えている。前記第二のモータジェネレータ５は、第２モータロータ軸１５と第２モータロータ１６と第２モータステータ１７とを備えている。第一のモータジェネレータ４の第１モータステータ１４は、第１インバータ１８に接続されている。第二のモータジェネレータ５の第２モータステータ１７は、第２インバータ１９に接続されている。
第１インバータ１８と第２インバータ１９との電源端子は、バッテリ２０に接続されている。バッテリ２０は、第一のモータジェネレータ４および第二のモータジェネレータ５との間で電力のやり取りが可能な蓄電手段である。第一のモータジェネレータ４と第二のモータジェネレータ５とは、それぞれ第１インバータ１８と第２インバータ１９とによりバッテリ２０から供給される電気量を制御され、供給される電気により駆動力を発生するとともに、回生時の駆動輪６からの駆動力で電気エネルギを発生し、発生した電気エネルギをバッテリ２０に充電する。【００１２】
前記差動歯車機構８は、第１遊星歯車機構２１と第２遊星歯車機構２２とを備えている。第１遊星歯車機構２１は、第１サンギア２３と、この第１サンギア２３に噛み合う第１プラネタリギア２４を支持する第１プラネタリキャリア２５と、第１プラネタリギア２４に噛み合う第１リングギア２６とを備えている。前記第２遊星歯車機構２２は、第２サンギア２７と、この第２サンギア２７に噛み合う第２プラネタリギア２８を支持する第２プラネタリキャリア２９と、第２プラネタリギア２８に噛み合う第２リングギア３０とを備えている。
差動歯車機構８は、第１遊星歯車機構２１と第２遊星歯車機構２２との各回転要素の回転中心線を同一軸上に配置し、内燃機関２と第１遊星歯車機構２１との間に第一のモータジェネレータ４を配置し、第２遊星歯車機構２２の内燃機関２から離れる側に第二のモータジェネレータ５を配置している。第二のモータジェネレータ５は、単独出力のみで車両を走行させることができる性能を備えている。
第１遊星歯車機構２１の第１サンギア２３には、第一のモータジェネレータ４の第１モータロータ軸１２を接続している。第１遊星歯車機構２１の第１プラネタリキャリア２５と第２遊星歯車機構２２の第２サンギア２７とは、結合して内燃機関２の出力軸３にワンウェィクラッチ３１を介して接続している。第１遊星歯車機構２１の第１リングギア２６と第２遊星歯車機構２２の第２プラネタリキャリア２９とは、結合して出力部３２に連結している。出力部３２は、歯車やチェーン等の出力伝達機構３３を介して前記駆動軸７に接続している。第２遊星歯車機構９の第２リングギア３０には、第二のモータジェネレータ５の第２モータロータ軸１５を接続している。
前記ワンウェイクラッチ３１は、内燃機関２の出力軸３が出力方向にしか回転しないように固定する機構であり、内燃機関２の出力軸３が逆転することを防止する。第二のモータジェネレータ５の駆動パワーは、ワンウェイクラッチ３１の反力を介して出力部３２の駆動パワーとして伝達される。
ハイブリッド車両は、内燃機関２と第一のモータジェネレータ４と第二のモータジェネレータ５とが発生する動力を、第１遊星歯車機構２１と第２遊星歯車機構２１とを介して駆動軸７に出力し、駆動輪６を駆動する。また、ハイブリッド車両は、駆動輪６からの駆動力を、第１遊星歯車機構２１と第２遊星歯車機構２２とを介して第一のモータジェネレータ４と第二のモータジェネレータ５とに伝達し、電気エネルギを発生してバッテリ２０を充電する。【００１３】
前記差動歯車機構８は、４つの回転要素３４〜３７を設定している。第１回転要素３４は、第１遊星歯車機構２１の第１サンギア２３からなる。第２回転要素３５は、第１遊星歯車機構２１の第１プラネタリキャリア２５と第２遊星歯車機構２２の第２サンギア２７とを結合したものからなる。第３回転要素３６は、第１遊星歯車機構２１の第１リングギア２６と第２遊星歯車機構２２の第２プラネタリキャリア２９とを結合したものからなる。第４回転要素３７は、第２遊星歯車機構２２の第２リングギア３０からなる。
差動歯車機構８は、図９、図１２〜図１６に示すように、４つの回転要素３４〜３７の回転速度を直線で表すことができる共線図上において、４つの回転要素３４〜３７を一端（各図の左側）から他端（各図の右側）に向かって順番に、第１回転要素３４、第２回転要素３５、第３回転要素３６、第４回転要素３７として設定している。４つの回転要素３４〜３７間の距離の比は、ｋ１：１：ｋ２、で表される。なお、各図の記載において、ＭＧ１は第一のモータジェネレータ４、ＭＧ２は第二のモータジェネレータ５、ＥＮＧは内燃機関２、ＯＵＴは出力部３２を示している。
第１回転要素３４には、第一のモータジェネレータ４の第１モータロータ軸１２を接続している。第２回転要素３５には、内燃機関２の出力軸３をワンウェイクラッチ３１を介して接続している。第３回転要素３６には、出力部３２を接続している。この出力部３２には、出力伝達機構３３を介して駆動軸７を接続している。第４回転要素３７には、第二のモータジェネレータ５の第２モータロータ軸１５を接続している。
これにより、差動歯車機構８は、出力軸３、第一のモータジェネレータ４、第二のモータジェネレータ５、及び駆動軸７にそれぞれ連結された４つの回転要素３４〜３７を有し、内燃機関２の出力軸３、第一のモータジェネレータ４、第二のモータジェネレータ５、及び駆動軸７との間で動力の授受を行う。よって、駆動制御装置１は、「４軸式」の制御方式である。【００１４】
前記ハイブリッド車両１は、空気量調整手段９、燃料供給手段１０、着火手段１１、第１インバータ１８、第２インバータ１９を、駆動制御部３８に接続している。駆動制御部３８には、アクセル開度検出手段３９と、車両速度検出手段４０と、エンジン回転速度検出手段４１と、バッテリ充電状態検出手段４２とを接続している。
前記アクセル開度検出手段３９は、アクセルペダルの踏み込み量であるアクセル開度を検出する。前記車両速度検出手段４０は、ハイブリッド車両の車両速度（車速）を検出する。前記エンジン回転数検出手段４１は、内燃機関２のエンジン回転速度を検出する。バッテリ充電状態検出手段４２は、バッテリ２０の充電状態ＳＯＣを検出する。【００１５】
また、駆動制御部３８は、目標駆動力設定手段４３と、目標駆動パワー設定手段４４と、目標充放電パワー設定手段４５と、目標エンジンパワー算出手段４６と、目標エンジン動作点設定手段４７と、モータトルク指令値演算手段４８、を備えている。
前記目標駆動力設定手段４３は、図２に示すように、アクセル開度検出手段３９により検出されたアクセル開度と車両速度検出手段４０により検出された車両速度とに基づいて、ハイブリッド車両を駆動するための目標駆動力を、図６に示す目標駆動力検索マップにより検索して決定する。目標駆動力は、アクセル開度＝０での高車速域ではエンジンブレーキ相当の減速方向の駆動力となるように負の値に設定し、車速が低い領域ではクリープ走行ができるように正の値に設定する。
前記目標駆動パワー設定手段４４は、アクセル開度検出手段３９により検出されたアクセル開度と車両速度検出手段４０により検出された車両速度とに基づいて、目標駆動パワーを設定する。この実施例においては、車両速度検出手段４０により検出された車両速度と目標駆動力設定手段４３により設定された目標駆動力とに基づいて、目標駆動パワーを設定する。
前記目標充放電パワー設定手段４５は、少なくともバッテリ充電状態検出手段４２により検出されたバッテリ２０の充電状態ＳＯＣに基づいて、目標充放電パワーを設定する。この実施例においては、バッテリ２０の充電状態ＳＯＣと車両速度に応じて、目標充放電パワーを、図７に示す目標充放電パワー検索テーブルにより検索して設定する。目標充放電パワーは、車両速度が低くなるほど、絶対値が小さくなるように設定する。
前記目標エンジンパワー算出手段４６は、目標駆動パワー設定手段４４により設定された目標駆動パワーと目標充放電パワー設定手段４５により設定された目標充放電パワーとから目標エンジンパワーを算出する。
前記目標エンジン動作点設定手段４７は、目標エンジンパワーと駆動制御装置１のシステム全体効率とから目標エンジン動作点（目標エンジン回転速度と目標エンジントルク）を設定する。この実施例においては、図８に示す目標エンジン動作点検索マップにより車両速度を考慮して検索して設定する。
前記モータトルク指令値演算手段４８は、第一のモータジェネレータ４と第二のモータジェネレータ５の、それぞれの目標回転速度を算出するとともにそれぞれのトルク指令値を設定する。【００１６】
さらに、駆動制御部３８は、電力損失推測手段４９と、目標電力設定手段５０と、電力上下限値算出手段５１と、を備えている。また、駆動制御部３８には、バッテリ２０の温度を検出する温度検出手段５２と、バッテリ２０の電圧を検出する電圧検出手段５３と、を接続している。
前記電力損失推測手段４９は、図２に示すように、第一のモータジェネレータ４の目標回転速度の前回値（Ｎｍｇ１ｔ（ｎ−１））及びトルク指令値の前回値（Ｔｍｇ１ｔ（ｎ−１））と、第二のモータジェネレータ５の目標回転速度の前回値（Ｎｍｇ２ｔ（ｎ−１））及びトルク指令値の前回値の前回値（Ｔｍｇ２ｔ（ｎ−１））とを入力し、第一のモータジェネレータ４及び第二のモータジェネレータ５の電力損失となる推定パワーを算出する。
電力損失推定手段４９は、例えば、電力損失検索マップから電力損失としての推定パワーを検索する。電力損失としての推定パワーは、目標駆動力が増大するにつれて増加し、その増加率は、目標駆動力が増大するにつれて増加する。また、電力損失としての推定パワーは、車両速度が高くなるほど増加するとともに、その最大値をとる目標駆動力は、車両速度が高くなるほど小さくなる。
また、前記電力損失推測手段４９は、第一のモータジェネレータ４の目標回転速度（前回値）およびトルク指令値（前回値）を変数とする二次多項式により第一のモータジェネレータ４の電力損失となる推定パワーを算出するとともに、第二のモータジェネレータ５の目標回転速度（前回値）およびトルク指令値（前回値）を変数とする二次多項式により第二のモータジェネレータ５の電力損失となる推定パワーを算出する。
前記目標エンジンパワー算出手段４６は、目標駆動パワーと目標充放電パワーとこの電力損失となる推定パワーとに基づいて、目標エンジンパワーを算出する。
前記目標電力設定手段５０は、目標エンジンパワー算出手段４６から算出する目標エンジンパワーと目標駆動パワー設定手段４４により設定された目標駆動パワーの差から、バッテリ２０からの入出力電力の目標値である目標電力を設定する。
前記モータトルク指令値演算手段４８は、前記目標エンジン動作点から求められる目標エンジントルクを含むトルクバランス式と前記目標電力設定手段５０が設定した目標電力を含む電力バランス式とを用いて、前記第一のモータジェネレータ４、第二のモータジェネレータ５のそれぞれのトルク指令値を算出する。この電力バランス式には、第一のモータジェネレータ４、第二のモータジェネレータ５によって発電ないし消費される電力と、第一のモータジェネレータ４、第二のモータジェネレータ５における電力損失となる推定パワーと、バッテリ２０の入出力電力を含んでいる。
前記電力上下限値算出手段５１は、バッテリ２０の状態パラメータに基づいてバッテリに対する入出電力を制限する電力上限値と電力下限値を設定する。電力上下限値算出手段５１は、図２に示すように、温度検出手段５２が検出した温度と電圧検出手段５３が検出した電圧とバッテリ充電状態検出手段４２が検出した充電状態とをバッテリ２０の状態パラメータとし、このバッテリ２０の状態パラメータとして温度と電圧と充電状態に基づいて検索テーブル（図１７〜図１９）から求めた検索値から前記推定パワーを減算して、前記電力上限値又は前記電力下限値を決定する。
前記目標電力算出手段５１は、前記目標エンジンパワー算出手段４６から算出する目標エンジンパワーと前記目標駆動パワーとの差から目標電力を算出するとともに、この目標電力が前記電力上限値および前記電力下限値によって設定される範囲から外れる際には前記電力上限値又は前記電力下限値に制限する。【００１７】
前記モータトルク指令値演算手段４８による第一のモータジェネレータ４のトルク指令値、第二のモータジェネレータ５のトルク指令値は、図３に示すように、第１〜第７算出部５４〜６０により算出される。なお、図３の記載において、ＭＧ１は第一のモータジェネレータ４、ＭＧ２は第二のモータジェネレータ５を示している。
前記第１算出部５４は、目標エンジン動作点設定手段４７により設定された目標エンジン回転速度と車両速度検出手段４０により検出された車両速度とによって、エンジン回転速度が目標エンジン回転速度となった場合の第一のモータジェネレータ４の目標回転速度Ｎｍｇ１ｔ（ｎ）及び第二のモータジェネレータ５の目標回転速度Ｎｍｇ２ｔ（ｎ）を算出する。
前記第２算出部５５は、第１算出部５４により算出された第一のモータジェネレータ４の目標回転速度Ｎｍｇ１ｔ（ｎ）及び第二のモータジェネレータ５の目標回転速度Ｎｍｇ２ｔ（ｎ）と目標電力設定手段５０により設定された目標電力と目標エンジン動作点設定手段４７により設定された目標エンジントルクとによって、第一のモータジェネレータ４の基本トルクＴｍｇ１ｉを算出する。
前記第３算出部５６は、第２算出部５５により算出された第一のモータジェネレータ４の基本トルクＴｍｇ１ｉと目標エンジン動作点設定手段４７により設定された目標エンジントルクとによって、第二のモータジェネレータ５の基本トルクＴｍｇ２ｉを算出する。
前記第４算出部５７は、エンジン回転速度検出手段４１により検出されたエンジン回転速度と目標エンジン動作点設定手段４７により設定された目標エンジン回転速度とによって、第一のモータジェネレータ４のフィードバック補正トルクＴｍｇ１ｆｂを算出する。
前記第５算出部５８は、エンジン回転速度検出手段４１により検出されたエンジン回転速度と目標エンジン動作点設定手段４７により設定された目標エンジン回転速度とによって、第二のモータジェネレータ５のフィードバック補正トルクＴｍｇ２ｆｂを算出する。
前記第６算出部５９は、第２算出部５５により算出された第一のモータジェネレータ４の基本トルクＴｍｇ１ｉと第４算出部５７により算出された第一のモータジェネレータ４のフィードバック補正トルクＴｍｇ１ｆｂとによって、第一のモータジェネレータ４のトルク指令値Ｔｍｇ１（ｎ）を算出する。
前記第７算出部６０は、第３算出部５６により算出された第二のモータジェネレータ５の基本トルクＴｍｇ２ｉと第５算出部５８により算出された第二のモータジェネレータ５のフィードバック補正トルクＴｍｇ２ｆｂとによって、第二のモータジェネレータ５のトルク指令値Ｔｍｇ２（ｎ）を算出する。
ハイブリッド車両の駆動制御装置１は、駆動制御部３８によって、目標エンジン動作点設定手段４７で設定された目標エンジン動作点（目標エンジン回転速度と目標エンジントルク）で内燃機関２が動作するように、空気量調整手段９と燃料供給手段１０と着火手段１１との駆動状態を制御する。また、駆動制御部３８は、バッテリ２０の充電状態（ＳＯＣ）が目標電力設定手段５０で設定された目標電力となるように、モータトルク指令値演算手段４８で設定されたトルク指令値で第一のモータジェネレータ４及び第二のモータジェネレータ５の駆動状態を制御する。【００１８】
このハイブリッド車両の駆動制御装置１は、図４の目標エンジン動作点算出の制御フローチャートに示すように、運転者のアクセル操作量（アクセル開度）と車両速度とから目標エンジン動作点（目標エンジン回転速度、目標エンジントルク）を演算し、図５のモータトルク指令値算出の制御フローチャートに示すように、目標エンジン動作点に基づいて第一のモータジェネレータ４と第二のモータジェネレータ５とのそれぞれのトルク指令値を演算する。【００１９】
前記目標エンジン動作点の算出においては、図４に示すように、制御プログラムがスタートすると（１００）、ステップ１０１では、アクセル開度検出手段３９が検出したアクセル開度、車両速度検出手段４０が検出した車両速度、エンジン回転速度検出手段４１が検出したエンジン回転速度、バッテリ充電状態検出手段４２が検出したバッテリ２０の充電状態ＳＯＣ、温度検出手段５２が検出した温度、電圧検出手段５３が検出した電圧、の各種信号を取り込む。
ステップ１０２では、目標駆動力検出マップ（図６参照）から、車両速度とアクセル開度に応じた目標駆動力を算出する。目標駆動力は、アクセル開度＝０での高車速域ではエンジンブレーキ相当の減速方向の駆動力となるように負の値に設定し、車速が低い領域ではクリープ走行ができるように正の値に設定する。
ステップ１０３では、ステップ１０２で算出した目標駆動力と車両速度とを乗算して、目標駆動力でハイブリッド車両を駆動するのに必要な目標駆動パワーを算出する。
ステップ１０４では、バッテリ２０の充電状態ＳＯＣを通常使用範囲内に制御するために、目標とする充放電量を図７に示す目標充放電パワー検索テーブルから算出する。バッテリ２０の充電状態ＳＯＣが低い場合には、バッテリ２０の過放電を防止するように目標充放電パワーを充電側に大きくしている。バッテリ２０の充電状態ＳＯＣが高い場合には、過充電を防止するように目標充放電パワーを放電側に大きくしている。目標充放電パワーは、便宜上、放電側を正の値、充電側を負の値として取り扱う。
ステップ１０５では、第一のモータジェネレータ４の目標回転速度の前回計算値Ｎｍｇ１ｔ（ｎ−１）及び目標トルクの前回計算値Ｔｍｇ１（ｎ−１）と、第二のモータジェネレータ５の目標回転速度の前回計算値Ｎｍｇ２ｔ（ｎ−１）及び目標トルクの前回計算値Ｔｍｇ２（ｎ−１）とを変数とする二次の多項式で近似した式から第一のモータジェネレータ４及び第二のモータジェネレータ５の電力損失を算出し、その合計を電力損失として以降の計算に用いる。この時点では、第一のモータジェネレータ４及び第二のモータジェネレータ５の動作点を決める前であるため、前回計算した値を用いて算出するようにしている。【００２０】
第一のモータジェネレータ４での損失の近似式（ａ１、ｂ１、…ｉ１は定数）
・Ｐｌｏｓｓ１＝ａ１（Ｔｍｇ１）２（Ｎｍｇ１）２＋ｂ１（Ｔｍｇ１）２（Ｎｍｇ１）
＋ｃ１（Ｔｍｇ１）２＋ｄ１（Ｔｍｇ１）（Ｎｍｇ１）２
＋ｅ１（Ｔｍｇ１）（Ｎｍｇ１）＋ｆ１（Ｔｍｇ１）＋ｇ１（Ｎｍｇ１）２
＋ｈ１（Ｎｍｇ１）＋ｉ１【００２１】
第二のモータジェネレータ５での損失の近似式（ａ２、ｂ２、…ｉ２は定数）
・Ｐｌｏｓｓ２＝ａ２（Ｔｍｇ２）２（Ｎｍｇ２）２＋ｂ２（Ｔｍｇ２）２（Ｎｍｇ２）
＋ｃ２（Ｔｍｇ２）２＋ｄ２（Ｔｍｇ２）（Ｎｍｇ２）２
＋ｅ２（Ｔｍｇ２）（Ｎｍｇ２）＋ｆ２（Ｔｍｇ２）
＋ｇ２（Ｎｍｇ２）２＋ｈ２（Ｎｍｇ２）＋ｉ２【００２２】
ステップ１０６では、目標駆動パワーと目標充放電パワーと電力損失から内燃機関２が出力すべきパワー（目標エンジンパワー）を計算する。内燃機関２が出力すべきパワーは、ハイブリッド車両の駆動に必要なパワーにバッテリ２０を充電するパワーを加算（放電の場合は減算）した値となる。ここでは、充電側を負の値として取り扱っているので、目標駆動パワーから目標充放電パワーを減算して電力損失を加算し、目標エンジンパワーを算出する。
ステップ１０７では、算出した目標エンジンパワーが上限値を越えているかを判断する。この判断（１０７）がＹＥＳの場合は、上限値を目標エンジンパワーに置き換えて（１０８）、ステップ１０９に移行する。この判断（１０７）がＮＯの場合は、ステップ１０９に移行する。ステップ１０７、ステップ１０８では、目標エンジンパワーの上限値による制限を行う。上限値は、内燃機関２が出力可能な出力の最大値である。【００２３】
ステップ１０９では、図１７、図１８、図１９に示すバッテリ２０の温度、電圧、充電状態の各電力上下限制限値検索テーブルから、電力上限値と電力下限値を計算する。放電側を正の値、充電側を負の値として取り扱っており、各検索テーブルから算出された値のうち放電側の最小値を電力上限値とし、充電側の絶対値が最小となる値を電力下限値として算出する。
図１７は、バッテリ２０の温度による制限の例を示す。温度が低い場合には、バッテリ２０の反応速度が低下するため、充放電可能な電力が少なくなる。また、バッテリ２０の温度が高い場合には、温度上昇を防ぐため充放電電力を制限する必要がある。
図１８は、バッテリ２０の電圧による制限の例を示す。バッテリ２０には、その保護のため上限電圧と下限電圧があり、その範囲を超えて使用するとバッテリ２０の劣化が進んでしまう。そのため、電圧が高い場合には充電を制限し、電圧が低い場合には放電を制限する必要がある。
図１９は、バッテリ２０の充電状態ＳＯＣによる制限の例を示す。バッテリ２０の充電状態ＳＯＣは、過放電や過充電とならないようにする必要があり、充電状態ＳＯＣが低い場合には放電を制限し、充電状態ＳＯＣが高い場合には充電を制限する必要がある。図７に示す目標充放電パワー検索テーブルにおいても過充電とならないように、充電状態ＳＯＣが高い場合は充電パワーを小さくするようにしているが、この値は内燃機関２の動力を用いた発電パワーを設定するものであり、下り坂での回生発電による充電のような場合には図１９に示す充電側の制限値により制限される。
また、運転者の要求パワーがバッテリ２０によるパワーアシストを必要とする場合には、後述するようにパワーアシストが実行されるが、この場合消費電力に応じて充電状態ＳＯＣが低下する。パワーアシストを頻繁に行なうと、充電状態ＳＯＣが回復する前に再度パワーアシストが実行されるため、充電状態ＳＯＣが徐々に低下してしまう。このような場合に放電側が制限される。【００２４】
ステップ１１０では、目標駆動パワーから目標エンジンパワーを減算し、電力上下限値で制限して目標電力を算出する。目標駆動パワーの方が目標エンジンパワーより大きい場合には、目標電力はバッテリ２０の電力によるアシストパワーを意味する値となる。また、目標エンジンパワーの方が目標駆動パワーより大きい場合には、目標電力はバッテリ２０ヘの充電電力を意味する値となる。
ステップ１１１では、図８に示す目標エンジン動作点検索マップから、目標エンジンパワーと車速に応じた目標エンジン動作点を算出し、リターンする（１１２）。【００２５】
前記目標エンジン動作点検索マップ（図８）は、等パワーライン上で内燃機関２の効率に差動歯車機構８と第一のモータジェネレータ４及び第二のモータジェネレータ５とにより構成される動力伝達系の効率を加味した全体の効率が良くなるポイントを各パワー毎に選定して結んだラインを、目標エンジン動作点ラインとして設定する。各目標エンジン動作点ラインは、各車両速度毎（図８においては、４０ｋｍ／ｈ、８０ｋｍ／ｈ、１２０ｋｍ／ｈ）に設定する。目標エンジン動作点ラインの設定値は、実験的に求めてもよいし、内燃機関２、第一のモータジェネレータ４及び第二のモータジェネレータ５の効率から計算して求めてもよい。なお、目標エンジン動作点ラインは、車両速度が高くなるに連れて高回転側に移動する設定としている。
これは、以下の理由による。
車両速度によらず同一のエンジン動作点を目標エンジン動作点とした場合、図９に示すように、車両速度が低い場合には第一のモータジェネレータ４の回転速度は正となり、第一のモータジェネレータ４が発電機、第二のモータジェネレータ５が電動機となる（Ａ）。そして、車両速度が高くなるに連れて第一のモータジェネレータ４の回転速度は０に近づき（Ｂ）、さらに車両速度が高くなると第一のモータジェネレータ４の回転速度は負となる。この状態になると、第一のモータジェネレータ４は電動機として作動するとともに、第二のモータジェネレータ５は発電機として作動する（Ｃ）。
車両速度が低い場合（Ａ、Ｂの状態）、パワーの循環は起きないので、目標エンジン動作点は、図８の車両速度＝４０ｋｍ／ｈの目標エンジン動作点ラインのように、概ね内燃機関２の効率の良いポイントに近いものとなる。
しかし、車両速度が高い場合（Ｃの状態）になると、第一のモータジェネレータ４は電動機として作動するとともに、第二のモータジェネレータ５は発電機として作動し、パワー循環が発生するため動力伝達系の効率が低下する。従って、図１１のＣのポイントに示すように、内燃機関２の効率が良くても動力伝達系の効率が低下するため、全体としての効率が低下してしまう。
そこで、高車速域でパワー循環が発生しないようにするには、図１２に示す共線図のＥのように第一のモータジェネレータ４の回転速度を０以上にすればよい。しかし、そうすると、内燃機関２のエンジン回転速度が高くなる方へエンジン動作点が移動するので、図１１のＥのポイントに示すように、動力伝達系の効率が良くなっても内燃機関２の効率が大きく低下するので全体としての効率は低下してしまう。
従って、図１１に示すように全体としての効率が良いポイントは両者の間のＤとなり、このポイントを目標エンジン動作点とすれば最も効率のよい運転が可能となる。
以上、Ｃ、Ｄ、Ｅの３つのエンジン動作点を目標エンジン動作点検索マップ上に表したのが図１０であり、車両速度が高い場合には全体効率が最良となる動作点がエンジン効率が最良となる動作点より高回転側に移動することが判る。【００２６】
次に、目標とする駆動力を出力しつつ、バッテリ２０の充放電量を目標値とするための第一のモータジェネレータ４及び第二のモータジェネレータ５の目標トルクであるトルク指令値演算について、図５のモータトルク指令値算出の制御フローチャートに沿って説明する。なお、図５の記載において、ＭＧ１は第一のモータジェネレータ４、ＭＧ２は第二のモータジェネレータ５を示している。
モータトルク指令値の算出において、図５に示すように、制御プログラムがスタート（２００）すると、先ず、ステップ２０１において車両速度から第１遊星歯車機構２１及び第２遊星歯車機構２２が接続される駆動軸７の駆動軸回転速度Ｎｏを算出する。そして、エンジン回転速度Ｎｅが目標エンジン回転速度Ｎｅｔとなった場合の、第一のモータジェネレータ４の目標回転速度Ｎｍｇ１ｔと第二のモータジェネレータ５の目標回転速度Ｎｍｇ２ｔとを以下の式（１）、（２）により算出する。
この演算式（１）、（２）は、第１遊星歯車機構２１及び第２遊星歯車機構２２の回転速度の関係から求められる。
・Ｎｍｇ１ｔ（ｎ）＝（Ｎｅｔ−Ｎｏ）＊ｋ１＋Ｎｅｔ………（１）
・Ｎｍｇ２ｔ（ｎ）＝（Ｎｏ−Ｎｅｔ）＊ｋ２＋Ｎｏ………（２）
ここで、ｋ１、ｋ２は、後述するように第１遊星歯車機構２１及び第２遊星歯車機構２２のギア比により定まる値である。【００２７】
次に、ステップ２０２では、ステップ２０１で求めた第一のモータジェネレータ４の目標回転速度Ｎｍｇ１ｔ（ｎ）と第二のモータジェネレータ５の目標回転速度Ｎｍｇ２ｔ（ｎ）、及び目標充放電パワーＰａｔｔ、目標エンジントルクＴｅｔから、第一のモータジェネレータ４の基本トルクＴｍｇ１ｉを以下の計算式（３）により算出する。
・Ｔｍｇ１ｉ＝（−（Ｂ１＋Ａ２（２Ｔｅｔ（１＋ｋ１）／ｋ２２）＋Ｂ２（１＋ｋ１）
／ｋ２＋Ｎｍｇ１＊２π／６０＋Ｎｍｇ２＊２π／６０＊（１＋ｋ１）
／ｋ２）＋（（Ｂ１＋Ａ２＊２Ｔｅｔ（１＋ｋ１）／ｋ２２＋Ｂ２（１＋ｋ１）
／ｋ２＋Ｎｍｇ１＊２π／６０＋Ｎｍｇ２＊２π／６０＊（１＋ｋ１）
／ｋ２）２−４（Ａ１＋Ａ２（１＋ｋ１）２／ｋ２２）（Ｃ１＋Ｃ２＋Ａ２Ｔｅｔ２
／ｋ２２＋Ｂ２Ｔｅｔ／ｋ２＋Ｎｍｇ２＊２π／６０＊Ｔｅｔ／ｋ２
−Ｐｂａｔｔ））１／２）／２（Ａ１＋Ａ２（１＋ｋ１）２／ｋ２２）……（３）【００２８】
ここで、
・Ａ１＝ａ１Ｎｍｇ１２＋ｂ１Ｎｍｇ１＋ｃ１
・Ｂ１＝ｄ１Ｎｍｇ１２＋ｅ１Ｎｍｇ１＋ｆ１
・Ｃ１＝ｇ１Ｎｍｇ１２＋ｈ１Ｎｍｇ１＋ｉ１
また、
・Ａ２＝ａ２Ｎｍｇ１２＋ｂ２Ｎｍｇ１＋ｃ２
・Ｂ２＝ｄ２Ｎｍｇ１２＋ｅ２Ｎｍｇ１＋ｆ２
・Ｃ２＝ｇ２Ｎｍｇ１２＋ｈ２Ｎｍｇ１＋ｉ２
(ａ１、ｂ１…ｉ１、ａ２、ｂ２…ｉ２は電力損失の近似式で用いた定数。)【００２９】
この演算式（３）は、以下に示す、第１遊星歯車機構２１及び第２遊星歯車機構２２に入力されるトルクのバランスを表すトルクバランス式（４）、及び第一のモータジェネレータ４と第二のモータジェネレータ５で発電又は消費される電力（損失も含む）とバッテリ２０ヘの入出力電力（Ｐｂａｔｔ）が等しいことを表す電力バランス式（５）、から或る連立方程式を解くことにより導き出せる。
・Ｔｅ＋（１＋ｋ１）＊Ｔｍｇ１＝ｋ２＊Ｔｍｇ２………（４）
・Ｎｍｇ１＊Ｔｍｇ１＊２π／６０＋Ｎｍｇ２＊Ｔｍｇ２＊２π／６０＋Ｐｌｏｓｓ１＋Ｐｌｏｓｓ２＝Ｐｂａｔｔ………（５）【００３０】
次に、ステップ２０３で、第一のモータジェネレータ４の基本トルクＴｍｇ１ｉ、目標エンジントルクから、第二のモータジェネレータ５の基本トルクＴｍｇ２ｉを以下の式（６）により算出する。
・Ｔｍｇ２ｉ＝（Ｔｅ＋（１＋ｋ１）＊Ｔｍｇ１ｉ）／ｋ２………（６）
この式は、上記式（４）から導き出したものである。
次に、ステップ２０４で、エンジン回転速度を目標に近づけるために、エンジン回転速度Ｎｅの目標エンジン回転速度Ｎｅｔとの偏差に予め設定した所定のフィードバックゲインを乗算し、第一のモータジェネレータ４のフィードバック補正トルクＴｍｇ１ｆｂ、第二のモータジェネレータ５のフィードバック補正トルクＴｍｇ２ｆｂを算出する。
ステップ２０５では、第一のモータジェネレータ４のフィードバック補正トルクＴｍｇ１ｆｂを基本トルクＴｍｇ１ｉに加算して制御指令値であるトルク指令値Ｔｍｇ１（ｎ）算出し、第二のモータジェネレータ５のフィードバック補正トルクＴｍｇ２ｆｂを基本トルクＴｍｇ２ｉに加算して制御指令値であるトルク指令値Ｔｍｇ２（ｎ）を算出し、リターンする（２０６）。【００３１】
駆動制御部３８は、このトルク指令値Ｔｍｇ１（ｎ）、Ｔｍｇ２（ｎ）に従って、第一のモータジェネレータ４及び第二のモータジェネレータ５を制御することにより、目標とする駆動力を出力しつつ、バッテリ２０ヘの充放電を目標値とすることができる。【００３２】
図１３〜１６には、代表的な動作状態での共線図を示す。
ここで、第１遊星歯車機構２１及び第２遊星歯車機構２２からなる差動歯車機構８のギア比により定まる値ｋ１、ｋ２は下記のように定義される。
ｋ１＝ＺＲ１／ＺＳ１
ｋ２＝ＺＳ２／ＺＲ２
ＺＳ１：第１サンギア歯数
ＺＲ１：第１リングギア歯数
ＺＳ２：第２サンギア歯数
ＺＲ２：第２リングギア歯数【００３３】
次に、各動作状態について共線図を用いて説明する。なお、回転速度は、内燃機関２の出力軸３の回転方向を正方向とし、各軸に入出力されるトルクは内燃機関２の出力軸３のトルクと同じ向きのトルクが入力される方向を正として定義する。従って、駆動軸７のトルクが正の場合はハイブリッド車両を後方へ駆動しようとするトルクが出力されている状態（前進時であれば減速、後進時であれば駆動）であり、駆動軸７のトルクが負の場合はハイブリッド車両を前方へ駆動しようとするトルクが出力されている状態（前進時であれば駆動、後進時であれば減速）である。
第一のモータジェネレータ４及び第二のモータジェネレータ５による発電や力行（動力を駆動輪７に伝えて加速、または昇り勾配で均衡速度を保つこと）を行う場合、第１インバータ１８及び第２インバータ１９や第一のモータジェネレータ４及び第二のモータジェネレータ５での発熱による損失が発生するため、電気エネルギと機械的エネルギとの間で変換を行う場合の効率は１００％ではないが、説明を簡単にするため損失は無いと仮定して説明する。現実として損失を考慮する場合には、損失により失われるエネルギの分だけ余分に発電するように制御する。【００３４】
（１）ＬＯＷギア比状態（図１３）
内燃機関２により走行し、第二のモータジェネレータ５の回転速度が０の状態である。この時の共線図を図１３に示す。第二のモータジェネレータ５の回転速度は０であるため、電力は消費しない。従って、バッテリ２０への充放電が無い場合には、第一のモータジェネレータ４で発電を行う必要はないため、第一のモータジェネレータ４のトルク指令値Ｔｍｇ１は０となる。
また、出力軸３のエンジン回転速度と駆動軸７の駆動軸回転速度の比は、（１＋ｋ２）／ｋ２、となる。【００３５】
（２）中間ギア比状態（図１４）
内燃機関２により走行し、第一のモータジェネレータ４及び第二のモータジェネレータ５の回転速度が正の状態である。この時の共線図を図１４に示す。この場合、バッテリ２０への充放電が無い場合、第一のモータジェネレータ４は回生となり、この回生電力を用いて第二のモータジェネレータ５を力行させる。【００３６】
（３）ＨＩＧＨギア比状態（図１５）
内燃機関２により走行し、第一のモータジェネレータ４の回転速度が０の状態である。この時の共線図を図１５に示す。第一のモータジェネレータ４の回転速度は０であるため、回生はしない。従って、バッテリ２０への充放電が無い場合には、第二のモータジェネレータ５での力行や回生は行わず、第二のモータジェネレータ５のトルク指令値Ｔｍｇ２は０となる。
また、出力軸３のエンジン回転速度と駆動軸７の駆動軸回転速度の比は、ｋ１／（１＋ｋ１）、となる。【００３７】
（４）動力循環が発生している状態（図１６）
ＨＩＧＨギア比状態よりさらに車両速度が高い状態では、第一のモータジェネレータ４が逆回転する状態となる。この状態では、第一のモータジェネレータ４は力行となり、電力を消費する。従って、バッテリ２０への充放電がない場合には、第二のモータジェネレータ５が回生となり発電を行う。【００３８】
以上のように、ハイブリッド車両の駆動制御装置１は、アクセル開度と車両速度とに基づいて目標駆動パワーを設定する目標駆動パワー設定手段４４と、少なくともバッテリ２０の充電状態に基づいて目標充放電パワーを設定する目標充放電パワー設定手段４５と、目標駆動パワーと目標充放電パワーとから目標エンジンパワーを算出する目標エンジンパワー算出手段４６と、目標エンジンパワーとシステム全体効率とから目標エンジン動作点を設定する目標エンジン動作点設定手段４７と、第一のモータジェネレータ４及び第二のモータジェネレータ５のそれぞれの目標回転速度を算出するとともにそれぞれのトルク指令値を設定するモータトルク指令値演算手段４８とを備えている。
前記モータトルク指令値演算手段４８は、フィードバック補正を行う際、第一のモータジェネレータ４のトルク補正値（フィードバック補正トルク）と第二のモータジェネレータ５のトルク補正値（フィードバック補正トルク）とを、実際のエンジン回転速度と目標エンジン回転速度との偏差に基づいて算出するとともに、これら第一のモータジェネレータ４のトルク補正値と第二のモータジェネレータ５のトルク補正値との比を、動力入出力装置の差動歯車機構８のレバー比に基づく所定の比となるよう設定する。
これにより、ハイブリッド車両の駆動制御装置１は、駆動軸７を支点としてトルクの変化に注目したトルクバランス式を用いて、内燃機関２のトルク変動を打ち消しているので、内燃機関２にトルク変動が生じてもそれを駆動軸７のトルクに影響を与えないようにできる。
動力入出力装置としての前記差動歯車機構８は、４つの回転要素３４〜３７を、共線図において順に第一のモータジェネレータ４に連結された第１回転要素３４、内燃機関２に連結された第２回転要素３５、駆動軸７に連結された第３回転要素３６、第二のモータジェネレータ５に連結された第４回転要素３７の順に並ぶとともに、それらの回転要素間の相互のレバー比を同順にｋ１：１：ｋ２として設け、第一のモータジェネレータ４のトルク補正値と第二のモータジェネレータ５のトルク補正値とを、第一のモータジェネレータ４のトルク補正値にｋ１を乗じた値と第二のモータジェネレータ５のトルク補正値に１＋ｋ２を乗じた値とが等しくなる関係を維持するように設定する。トルクバランス式を、同様の４つの回転要素を持つレバー比が異なる差動歯車機構８を構成する場合、好適に用いることができる。
また、駆動制御装置１は、第一のモータジェネレータ４及び第二のモータジェネレータ５のトルク指令値にそれぞれ設定するフィードバック補正量を、第一のモータジェネレータ４及び第二のモータジェネレータ５と駆動軸７と内燃機関２とにそれぞれ連結された４つの回転要素３４〜３７を有する差動歯車機構８のギヤ比ないしレバー比に基づいて関連付けて設定する。
前記トルクバランス式では、前記（４）式に示すように、第一のモータジェネレータ４及び第二のモータジェネレータ５のそれぞれの目標トルク（トルク指令値）と内燃機関２の目標エンジントルクとを、第一のモータジェネレータ４及び第二のモータジェネレータ５と内燃機関２とを機械的に作動連結する動力入出力装置である差動歯車機構８のギヤ比に基づくレバー比に基づいて、バランスしている。
前記モータトルク指令値演算手段４８は、目標エンジン動作点から求められる目標エンジントルクを含むトルクバランス式と目標電力を含む電力バランス式とを用いて第一のモータジェネレータ４及び第二のモータジェネレータ５のそれぞれのトルク指令値を算出するとともに、目標エンジン動作点から求められる目標エンジン回転速度に実際のエンジン回転速度を収束させるように第一のモータジェネレータ４及び第二のモータジェネレータ５のトルク指令値にそれぞれのフィードバック補正を行うことを可能とする。【００３９】
これにより、目標エンジントルクを含むトルクバランス式と目標電力を含む電力バランス式とを用いて第一のモータジェネレータ４及び第二のモータジェネレータ５のそれぞれの目標回転速度およびトルク指令値を算出するハイブリッド車両の駆動制御装置１は、バッテリ２０ヘの充放電がある場合の第一のモータジェネレータ４及び第二のモータジェネレータ５の制御を行うことができる。内燃機関２のエンジン動作点に配慮し、目標とする駆動力確保と目標とする充放電の確保とを両立することができる。第一のモータジェネレータ４及び第二のモータジェネレータ５のトルク指令値をそれぞれ細かく補正することによって、速やかに、エンジン回転速度を目標値に収束させることができる。エンジン動作点を目標とする動作点に併せることができるので、適切な運転状態とすることができる。
また、このハイブリッド車両の駆動制御装置１は、内燃機関２と第一のモータジェネレータ４及び第二のモータジェネレータ５を備えたハイブリッドシステムにおけるバッテリ２０ヘの充放電がある場合の第一のモータジェネレータ４及び第二のモータジェネレータ５の制御として、内燃機関２のエンジン動作点に配慮し、目標とする駆動力確保と目標とする充放電の確保を両立する制御を行う場合に、内燃機関２のトルク変動を駆動トルクに影響させないように最適にして、ドライバビリティや走行フィーリングを向上することができる。【００４０】
そして、このハイブリッド車両の駆動制御装置１は、第一のモータジェネレータ４及び第二のモータジェネレータ５の目標回転速度およびトルク指令値に基づいて電力損失となる推定パワーを算出する電力損失推測手段４９と、目標エンジンパワーと目標駆動パワーとの差から目標電力を算出する目標電力算出手段５０と、を設け、目標エンジンパワー算出手段４６は、目標駆動パワーと目標充放電パワーとこの電力損失となる推定パワーとに基づいて目標エンジンパワーを算出し、モータトルク指令値演算手段４８は、目標エンジン動作点から求められる目標エンジントルクを含むトルクバランス式と目標電力を含む電力バランス式とを用いて第一のモータジェネレータ４及び第二のモータジェネレータ５のそれぞれのトルク指令値を算出するとともに、この電力バランス式には第一のモータジェネレータ４及び第二のモータジェネレータ５によって発電ないし消費される電力と第一のモータジェネレータ４及び第二のモータジェネレータ５における電力損失となる推定パワーとバッテリ２０の入出力電力を含むことを特徴としている。
これにより、この駆動制御装置１は、第一のモータジェネレータ４及び第二のモータジェネレータ５の電力損失を考慮し、バッテリ２０の状態に応じた入出力パワーに制限することによって、バッテリ２０の電力を使ってパワーアシストを行った場合の充放電電力を適切に制限することができるので、バッテリ２０に対する過放電や過負荷を防止することができる。
また、この駆動制御装置１は、第一のモータジェネレータ４及び第二のモータジェネレータ５の電力損失を考慮して、バッテリ２０の充電状態ＳＯＣの制御精度を向上させることができ、制御精度が高いので、バッテリ２０の制限値近傍の範囲を使用でき、減速時に回生量を増加することができる。
この駆動制御装置１は、電力バランス式に電力損失を含めて演算するようにしたので、第一のモータジェネレータ４及び第二のモータジェネレータ５ヘの駆動力配分の制御精度を高めることができる。
さらに、この駆動制御装置１は、内燃機関１の動作点に配慮し、第一のモータジェネレータ４及び第二のモータジェネレータ５における目標とする駆動力確保と、バッテリ２０に対する過充放電を防止した目標近傍の充放電の確保とを両立することができる。また、この駆動制御装置１は、目標エンジン回転速度を、それが目標エンジン回転速度上限値を超えないように再設定した後、それに基づいて目標充放電パワーとは異なる目標電力を設定することになり、その最適化した目標エンジン動作点と、過充放電を防止した最適な目標電力とに基づいての第一のモータジェネレータ４及び第二のモータジェネレータ５の駆動力を設定することになるので、エンジン回転速度を制限して内燃機関２を保護するとともに、バッテリ２０の電力を用いたパワーアシストによりドライバの要求する駆動力を満足させることができる。【００４１】
また、前記電力損失推測手段４９は、第一のモータジェネレータ４の目標回転速度（前回値）およびトルク指令値（前回値）を変数とする二次多項式により第一のモータジェネレータ４の電力損失となる推定パワーを算出するとともに、第二のモータジェネレータ５の目標回転速度（前回値）およびトルク指令値（前回値）を変数とする二次多項式により第二のモータジェネレータ５の電力損失となる推定パワーを算出する。
これにより、駆動制御装置１は、電力バランス式に含める電力損失をより精度高く演算するようにしたので、充放電パワーの算出精度を高め、バッテリ２０に対する過放電や過負荷を防止し、第一のモータジェネレータ４及び第二のモータジェネレータ５ヘの駆動力配分の制御精度を高めることができる。【００４２】
さらに、前記駆動制御装置１は、バッテリ２０の状態パラメータに基づいてバッテリ２０に対する入出電力を制限する電力上限値および電力下限値を設定する電力上下限値算出手段５１を設け、前記目標電力算出手段５０は、目標エンジンパワーと目標駆動パワーとの差から目標電力を算出するとともに、この目標電力が電力上限値および前記電力下限値によって設定される範囲から外れる際には電力上限値又は電力下限値に制限する。
これにより、駆動制御装置１は、電力損失を考慮して算出した目標エンジンパワーに基づいて、目標エンジン動作点および目標電力を算出し、第一のモータジェネレータ４及び第二のモータジェネレータ５のそれぞれのトルク指令値を算出することになるので、車両速度や目標駆動力の違いによる電力損失のばらつきによる誤差が少なくなり、バッテリ２０の充電状態ＳＯＣの制御精度を向上させて目標とする充放電を確保しつつ、目標とする駆動力確保との両立を可能とすることができる。【００４３】
また、前記電力上下限値算出手段５１は、バッテリ２０の状態パラメータとして温度と電圧と充電状態に基づいて検索テーブルから求めた検索値から推定パワーを減算して電力上限値又は電力下限値を決定する。
すなわち、電力上下限値算出手段５１は、バッテリ２０の温度に対する電力上限値および電力下限値を規定する電力上下限値検索テーブル（図１７）と、バッテリ２０の電圧に対する電力上限値および電力下限値を規定する電力上下限値検索テーブル（図１８）と、バッテリ２０の充電状態ＳＯＣに対する電力上限値および電力下限値を規定する電力上下限値検索テーブル（図１９）とを備えている。
電力上下限値算出手段５１は、バッテリ２０の状態パラメータとして、バッテリ２０の温度と電圧と充電状態ＳＯＣとを入力し、入力した温度に基づいて規定された電力上限値および電力下限値と、入力した電圧に基づいて規定された電力上限値および電力下限値と、入力した充電状態ＳＯＣに基づいて規定された電力上限値および電力下限値とを求め、推定パワー減算して、それぞれの電力上限値および電力下限値どうしを比較し、制限の最も大きな電力上限値および電力下限値を目標電力算出手段５０に出力する。
この結果、駆動制御装置１は、バッテリ２０の状態に応じた入出力パワーに制限することによって、充放電におけるバッテリ２０の過電圧保護と、充電状態ＳＯＣを考慮した過放電防止・過充電防止とを行うことができる。
【産業上の利用可能性】
【００４４】
この発明は、複数のモータジェネレータの電力損失を考慮して、バッテリの充電状態の制御精度を向上させることができるものであり、ハイブリッド車両の駆動力制御に適用することができる。
【符号の説明】
【００４５】
１  ハイブリッド車両の駆動制御装置
２  内燃機関
３  出力軸
４  第一のモータジェネレータ
５  第二のモータジェネレータ
７  駆動軸
８  差動歯車機構
１８  第１インバータ
１９  第２インバータ
２０  バッテリ
２１  第１遊星歯車機構
２２  第２遊星歯車機構
３１  ワンウェィクラッチ
３２  出力部
３４  第１回転要素
３５  第２回転要素
３６  第３回転要素
３７  第４回転要素
３８  駆動制御部
３９  アクセル開度検出手段
４０  車両速度検出手段
４１  エンジン回転速度検出手段
４２  バッテリ充電状態検出手段
４３  目標駆動力設定手段
４４  目標駆動パワー設定手段
４５  目標充放電パワー設定手段
４６  目標エンジンパワー算出手段
４７  目標エンジン動作点設定手段
４８  モータトルク指令値演算手段
４９  電力損失推測手段
５０  目標電力設定手段
５１  電力上下限値算出手段
５２  温度検出手段
５３  電圧検出手段
【図１】
2012114430.tif 000003
【図２】
2012114430.tif 000004
【図３】
2012114430.tif 000005
【図４】
2012114430.tif 000006
【図５】
2012114430.tif 000007
【図６】
2012114430.tif 000008
【図７】
2012114430.tif 000009
【図８】
2012114430.tif 000010
【図９】
2012114430.tif 000011
【図１０】
2012114430.tif 000012
【図１１】
2012114430.tif 000013
【図１２】
2012114430.tif 000014
【図１３】
2012114430.tif 000015
【図１４】
2012114430.tif 000016
【図１５】
2012114430.tif 000017
【図１６】
2012114430.tif 000018
【図１７】
2012114430.tif 000019
【図１８】
2012114430.tif 000020
【図１９】
2012114430.tif 000021
【国際調査報告】
2012114430.tif 000022
2012114430.tif 000023
2012114430.tif 000024
2012114430.tif 000025